(57)【要約】【課題】利用者の意に反してデータが送受信される事態を回避し、かつ、無線通信部による電力消費量を十分に軽減しつつ、測定結果データを容易に回収可能とする。【解決手段】制御部１５が、予め規定された条件が満たされたときに、測定結果データＤ２の送信を開始する開始条件が記録されている送信条件データＤ０が記憶部１６に記憶されているときには、無線通信部１４への電力の供給を停止させる（または、無線通信部１４に対する電力の供給を停止している状態を維持させる）と共にデータＤ０に記録されている開始条件が満たされたときに無線通信部１４に対する電力の供給を開始させて無線通信部１４からスマートフォン２に対してデータＤ２を送信させる。【選択図】図１
2016076765.tif 000002
【特許請求の範囲】
【請求項１】
バッテリを有する電源部と、測定結果データを記憶可能な記憶部と、第１の外部装置に対するデータの送信を実行する無線通信部と、前記電源部から前記無線通信部への電力の供給および供給の停止を制御すると共に当該無線通信部に対して電力を供給させた状態において前記記憶部に記憶されている前記測定結果データを当該無線通信部から前記第１の外部装置に送信させる制御部とを備え、
前記制御部は、予め規定された条件が満たされたときに、前記第１の外部装置に対する前記測定結果データの送信を開始する開始条件が記録されている条件データが前記記憶部に記憶されている状態で前記無線通信部に対して電力を供給させているときには、前記電源部を制御して当該無線通信部に対する電力の供給を停止させると共に当該条件データに記録されている前記開始条件が満たされたときに当該電源部を制御して当該無線通信部に対する電力の供給を開始させて当該無線通信部から前記第１の外部装置に対して前記測定結果データを送信させ、前記条件データが記憶されている状態で前記無線通信部に対する電力の供給を停止させているときには、前記電源部を制御して当該無線通信部に対する電力の供給を停止している状態を維持させると共に当該条件データに記録されている前記開始条件が満たされたときに当該電源部を制御して当該無線通信部に対する電力の供給を開始させて当該無線通信部から前記第１の外部装置に対して前記測定結果データを送信させる測定装置。
【請求項２】
前記無線通信部は、第２の外部装置からのデータの受信を実行可能に構成され、
前記制御部は、前記予め規定された条件が満たされたときに、前記条件データが前記記憶部に記憶されていない状態で前記無線通信部に対して電力を供給させているときには、前記電源部を制御して当該無線通信部に対して電力を供給している状態を維持させると共に前記第２の外部装置から送信されて前記無線通信部によって受信された前記条件データを前記記憶部に記憶させ、前記条件データが記憶されていない状態で前記無線通信部に対する電力の供給を停止させているときには、前記電源部を制御して当該無線通信部に対する電力の供給を開始させると共に前記第２の外部装置から送信されて前記無線通信部によって受信された前記条件データを前記記憶部に記憶させる請求項１記載の測定装置。
【請求項３】
前記制御部は、前記予め規定された条件が満たされたときに、前記条件データが前記記憶部に記憶されていない状態で前記無線通信部に対して電力を供給させているときには、指定された前記開始条件に基づいて当該条件データを生成して当該記憶部に記憶させ、かつ前記電源部を制御して当該無線通信部に対して電力を供給している状態を維持させると共に当該記憶部に記憶させた当該条件データを当該無線通信部から前記第１の外部装置に送信させ、前記条件データが記憶されていない状態で前記無線通信部に対する電力の供給を停止させているときには、指定された前記開始条件に基づいて当該条件データを生成して当該記憶部に記憶させ、かつ前記電源部を制御して当該無線通信部に対する電力の供給を開始させると共に当該記憶部に記憶させた当該条件データを当該無線通信部から前記第１の外部装置に送信させる請求項１記載の測定装置。
【請求項４】
前記制御部は、前記第１の外部装置に対する前記測定結果データの送信を開始する開始時刻と、予め規定された時点から前記第１の外部装置に対する前記測定結果データの送信を開始する時点までの第１の待機時間とのいずれかが前記開始条件として記録されている前記条件データに従って前記電源部および前記無線通信部を制御する請求項１から３のいずれかに記載の測定装置。
【請求項５】
前記制御部は、前記第１の外部装置に対する前記測定結果データの送信を開始してから当該測定結果データの送信を完了するまで前記電源部を制御して前記無線通信部に対して電力を供給している状態を維持させる請求項１から４のいずれかに記載の測定装置。
【請求項６】
前記制御部は、前記無線通信部に対する電力の供給を停止する停止時刻と、前記無線通信部に対する電力の供給を開始した時点から当該無線通信部に対する電力の供給を停止させる時点までの第２の時間とのいずれかが終了条件として記録されている前記条件データに従って前記電源部および前記無線通信部を制御する請求項１から５のいずれかに記載の測定装置。
【請求項７】
前記制御部は、前記バッテリに蓄積されている電力の残量が予め規定された残量を下回っているときに前記電源部を制御して前記無線通信部に対する電力の供給を停止させる請求項１から６のいずれかに記載の測定装置。
【請求項８】
請求項１および３から７のいずれかに記載の測定装置と、前記第１の外部装置としての携帯端末装置とを備えている測定システム。
【請求項９】
請求項２および４から７のいずれかに記載の測定装置と、前記第１の外部装置および前記第２の外部装置としての携帯端末装置とを備えている測定システム。
【請求項１０】
請求項２記載の測定装置に対して送信する前記条件データを、指定された前記開始条件に基づいて生成する処理、および生成した当該条件データを前記測定装置に対して送信する処理を前記第２の外部装置としての携帯端末装置の処理部に実行させる手順と、前記条件データに記録されている前記開始条件が満たされたときに前記測定装置から送信される前記測定結果データを受信して記録する処理を前記第１の外部装置としての前記携帯端末装置の前記処理部に実行させる手順とが記録されている測定システム用プログラム。
【請求項１１】
請求項３記載の測定装置から送信される前記条件データを受信する処理、および前記条件データに記録されている前記開始条件が満たされたときに前記測定装置から送信される前記測定結果データを受信して記録する処理を前記第１の外部装置としての前記携帯端末装置の前記処理部に実行させる手順が記録されている測定システム用プログラム。
【発明の詳細な説明】
【技術分野】
【０００１】
本発明は、測定結果データを無線通信部から外部装置に送信可能に構成された測定装置、外部装置としての携帯端末装置と測定装置とを備えて構成された測定システム、および測定装置から送信された測定結果データなどを記憶部に記憶させる処理等を携帯端末装置の処理部に実行させる測定システム用プログラムに関するものである。
【背景技術】
【０００２】
この種の測定装置、測定システムおよび測定システム用プログラムとして、出願人は、測定装置と、測定システム専用のプログラムがインストールされた携帯型のパーソナルコンピュータで構成された測定データ回収装置（以下、単に「回収装置」ともいう）とを備えた測定システムを下記の特許文献１に開示している。この測定システムでは、測定装置および回収装置の双方がブルートゥース（Bluetooth ：登録商標）規格に準じた近距離無線通信を実行可能な無線通信部を備え、回収装置から測定装置への送信要求データの送信や、測定装置から回収装置への測定結果データ（測定データ）の送信などを無線通信よって実行する構成が採用されている。
【０００３】
この場合、出願人が開示している測定システムにおける測定装置では、電源投入操作に応じて無線通信部を含む各構成要素に対する電力の供給が開始され、予めペアリングされている外部装置（回収装置等）との間の無線通信が確立される構成が採用されている。また、この測定装置では、電源部が交流電源ラインに接続されていない状態（バッテリ駆動状態）において電源遮断操作が行われたときには、電源部（バッテリ）から無線通信部を含む各構成要素への電力の供給が停止されて測定装置がオフ状態となり、電源部が交流電源ラインに接続されている状態において電源遮断操作が行われたときには、無線通信部に対する電力の供給が継続されつつ、無線通信部を除く各構成要素への電力の供給が停止される構成が採用されている。
【０００４】
これにより、出願人が開示している測定装置では、電源部が交流電源ラインに接続されている状態においては、電源遮断操作後にも外部装置との間の無線通信が確立された状態が維持される結果、外部装置との間でデータを送受信する際に測定装置に電源を再投入する操作を行うだけで、データの送受信を迅速に開始することが可能となっている。
【先行技術文献】
【特許文献】
【０００５】
【特許文献１】特開２０１３−２５１６５４号公報（第５−１２頁、第１−３図）
【発明の概要】
【発明が解決しようとする課題】
【０００６】
ところが、出願人が開示している測定装置、測定システムおよび測定システム用のプログラムには、以下のような改善すべき課題が存在する。すなわち、出願人が開示している測定装置では、電源投入操作が行われたときに、無線通信部を含む各構成要素への電力の供給が開始されて外部装置（回収装置等）との間の無線通信が確立され、電源遮断操作が行われたときに、バッテリ駆動時には無線通信部を含む各構成要素への電力の供給が停止されると共に、電源部が交流電源ラインに接続されている状態では、無線通信部に対する電力の供給が継続されつつ、無線通信部を除く各構成要素への電力の供給が停止される構成が採用されている。
【０００７】
この場合、この種の装置に搭載されている無線通信部は、外部装置との間でデータを送受信しているときだけでなく、データを送受信していない状態においても多くの電力を消費する。したがって、出願人が開示している測定装置では、バッテリ駆動状態において外部装置との間でデータの送受信を行わずに測定処理だけを実行しているとき（または、測定処理の開始条件を満たすまで待機しているとき）に、無線通信部に対して供給され続けている電力の分だけ、測定処理を継続可能な時間（測定処理を実行可能な電力が残存している時間）が短くなっているという現状がある。このため、この点を改善するのが好ましい。
【０００８】
また、出願人が開示している測定装置では、バッテリ駆動状態、および交流電源ラインに接続された状態の如何を問わず、少なくとも測定装置に電源が投入されている状態（オン状態）において無線通信部に対する電力の供給が継続されて外部装置との間の無線通信が可能な状態が維持されている。この場合、出願人が開示している測定装置の無線通信部は、予めペアリングされている装置以外との無線通信が規制されている。しかしながら、この種の無線通信プロトコルに精通している者であれば、測定装置の利用者の意に反して測定装置の無線通信部に接続して無線通信を行うことができる可能性がある。したがって、利用者の意に反して測定結果データが読み出されたり、測定装置に対して意図しない制御コマンドが送信されて測定処理の中断や測定結果データの削除が行われたりするおそれがある。このため、この点も改善するのが好ましい。
【０００９】
この場合、例えば、無線通信部に対する電力の供給／供給停止を切り替える切替えスイッチを電源スイッチとは別個に設け、外部装置との間で各種のデータを送受信するときにスイッチ操作によって無線通信部に対して電力を供給させることにより、データを送受信していない状態での無線通信部による電力の浪費や、意図しない無線通信が行われる事態を回避することが可能となる。しかしながら、そのような構成では、例えば回収装置によって測定結果データを回収する都度、測定装置を手にして切替えスイッチを操作する必要が生じることから、測定装置を各種の容器体内に収容した状態や高所に設置した状態（利用者の手が届き難い場所に設置した状態）で測定処理を実行させているときに、測定結果データの回収作業等が非常に煩雑となる。
【００１０】
本発明は、かかる改善すべき課題に鑑みてなされたものであり、利用者の意に反してデータが送受信される事態を回避し、かつ、無線通信部による電力消費量を十分に軽減しつつ、測定結果データを容易に回収し得る測定装置、測定システムおよび測定システム用プログラムを提供することを主目的とする。
【課題を解決するための手段】
【００１１】
上記目的を達成すべく、請求項１記載の測定装置は、バッテリを有する電源部と、測定結果データを記憶可能な記憶部と、第１の外部装置に対するデータの送信を実行する無線通信部と、前記電源部から前記無線通信部への電力の供給および供給の停止を制御すると共に当該無線通信部に対して電力を供給させた状態において前記記憶部に記憶されている前記測定結果データを当該無線通信部から前記第１の外部装置に送信させる制御部とを備え、前記制御部は、予め規定された条件が満たされたときに、前記第１の外部装置に対する前記測定結果データの送信を開始する開始条件が記録されている条件データが前記記憶部に記憶されている状態で前記無線通信部に対して電力を供給させているときには、前記電源部を制御して当該無線通信部に対する電力の供給を停止させると共に当該条件データに記録されている前記開始条件が満たされたときに当該電源部を制御して当該無線通信部に対する電力の供給を開始させて当該無線通信部から前記第１の外部装置に対して前記測定結果データを送信させ、前記条件データが記憶されている状態で前記無線通信部に対する電力の供給を停止させているときには、前記電源部を制御して当該無線通信部に対する電力の供給を停止している状態を維持させると共に当該条件データに記録されている前記開始条件が満たされたときに当該電源部を制御して当該無線通信部に対する電力の供給を開始させて当該無線通信部から前記第１の外部装置に対して前記測定結果データを送信させる。
【００１２】
また、請求項２記載の測定装置は、請求項１記載の測定装置において、前記無線通信部は、第２の外部装置からのデータの受信を実行可能に構成され、前記制御部は、前記予め規定された条件が満たされたときに、前記条件データが前記記憶部に記憶されていない状態で前記無線通信部に対して電力を供給させているときには、前記電源部を制御して当該無線通信部に対して電力を供給している状態を維持させると共に前記第２の外部装置から送信されて前記無線通信部によって受信された前記条件データを前記記憶部に記憶させ、前記条件データが記憶されていない状態で前記無線通信部に対する電力の供給を停止させているときには、前記電源部を制御して当該無線通信部に対する電力の供給を開始させると共に前記第２の外部装置から送信されて前記無線通信部によって受信された前記条件データを前記記憶部に記憶させる。
【００１３】
また、請求項３記載の測定装置は、請求項１記載の測定装置において、前記制御部は、前記予め規定された条件が満たされたときに、前記条件データが前記記憶部に記憶されていない状態で前記無線通信部に対して電力を供給させているときには、指定された前記開始条件に基づいて当該条件データを生成して当該記憶部に記憶させ、かつ前記電源部を制御して当該無線通信部に対して電力を供給している状態を維持させると共に当該記憶部に記憶させた当該条件データを当該無線通信部から前記第１の外部装置に送信させ、前記条件データが記憶されていない状態で前記無線通信部に対する電力の供給を停止させているときには、指定された前記開始条件に基づいて当該条件データを生成して当該記憶部に記憶させ、かつ前記電源部を制御して当該無線通信部に対する電力の供給を開始させると共に当該記憶部に記憶させた当該条件データを当該無線通信部から前記第１の外部装置に送信させる。
【００１４】
また、請求項４記載の測定装置は、請求項１から３のいずれかに記載の測定装置において、前記制御部は、前記第１の外部装置に対する前記測定結果データの送信を開始する開始時刻と、予め規定された時点から前記第１の外部装置に対する前記測定結果データの送信を開始する時点までの第１の待機時間とのいずれかが前記開始条件として記録されている前記条件データに従って前記電源部および前記無線通信部を制御する。
【００１５】
さらに、請求項５記載の測定装置は、請求項１から４のいずれかに記載の測定装置において、前記制御部は、前記第１の外部装置に対する前記測定結果データの送信を開始してから当該測定結果データの送信を完了するまで前記電源部を制御して前記無線通信部に対して電力を供給している状態を維持させる。
【００１６】
また、請求項６記載の測定装置は、請求項１から５のいずれかに記載の測定装置において、前記制御部は、前記無線通信部に対する電力の供給を停止する停止時刻と、前記無線通信部に対する電力の供給を開始した時点から当該無線通信部に対する電力の供給を停止させる時点までの第２の時間とのいずれかが終了条件として記録されている前記条件データに従って前記電源部および前記無線通信部を制御する。
【００１７】
さらに、請求項７記載の測定装置は、請求項１から６のいずれかに記載の測定装置において、前記制御部は、前記バッテリに蓄積されている電力の残量が予め規定された残量を下回っているときに前記電源部を制御して前記無線通信部に対する電力の供給を停止させる。
【００１８】
また、請求項８記載の測定システムは、請求項１および３から７のいずれかに記載の測定装置と、前記第１の外部装置としての携帯端末装置とを備えている。
【００１９】
また、請求項９記載の測定システムは、請求項２および４から７のいずれかに記載の測定装置と、前記第１の外部装置および前記第２の外部装置としての携帯端末装置とを備えている。
【００２０】
また、請求項１０記載の測定システム用プログラムは、請求項２記載の測定装置に対して送信する前記条件データを、指定された前記開始条件に基づいて生成する処理、および生成した当該条件データを前記測定装置に対して送信する処理を前記第２の外部装置としての携帯端末装置の処理部に実行させる手順と、前記条件データに記録されている前記開始条件が満たされたときに前記測定装置から送信される前記測定結果データを受信して記録する処理を前記第１の外部装置としての前記携帯端末装置の前記処理部に実行させる手順とが記録されている。
【００２１】
また、請求項１１記載の測定システム用プログラムは、請求項３記載の測定装置から送信される前記条件データを受信する処理、および前記条件データに記録されている前記開始条件が満たされたときに前記測定装置から送信される前記測定結果データを受信して記録する処理を前記第１の外部装置としての前記携帯端末装置の前記処理部に実行させる手順が記録されている。
【発明の効果】
【００２２】
請求項１記載の測定装置では、予め規定された条件が満たされたときに、条件データが記憶されている状態で無線通信部に対して電力を供給させているときには、電源部を制御して無線通信部に対する電力の供給を停止させると共に条件データに記録されている開始条件が満たされたときに電源部を制御して無線通信部に対して電力の供給を開始させて無線通信部から第１の外部装置に測定結果データを送信させ、条件データが記憶されている状態で無線通信部に対する電力の供給を停止させているときには、電源部を制御して無線通信部に対する電力の供給を停止している状態を維持させると共に条件データに記録されている開始条件が満たされたときに電源部を制御して無線通信部に対する電力の供給を開始させて無線通信部から第１の外部装置に測定結果データを送信させる。また、請求項８記載の測定システムでは、上記の測定装置と、第１の外部装置としての携帯端末装置とを備えている。
【００２３】
したがって、請求項１記載の測定装置、および請求項８記載の測定システムによれば、第１の外部装置に対するデータの送信を行う必要が生じたときに無線通信部に対する電力の供給が開始されるような開始条件が記録されている条件データを記憶部に記憶させておくことにより、第１の外部装置に対するデータの送信を行う必要がないときに、開始条件が満たされないことで電源部から無線通信部への電力の供給が停止した状態となるため、その分だけ、無線通信部による電力の消費量を軽減することができると共に、利用者の意に反した無線通信部へのアクセスが行われる可能性を十分に低減することができる。これにより、バッテリ駆動状態での測定装置の動作可能時間を十分に長くすることができ、また、セキュリティを損なうことなく測定装置において測定処理等を継続させることができる。また、第１の外部装置（携帯端末装置）によって測定装置から測定結果データを回収する際には、開始条件が満たされたときに電源部から無線通信部に電力が供給されて測定装置から第１の外部装置（携帯端末装置）に測定結果データが送信されるため、例えば、利用者の手が届き難い場所に測定装置を設置した状態においても、測定装置から第１の外部装置（携帯端末装置）に測定結果データを確実かつ容易に回収することができる。
【００２４】
請求項２記載の測定装置では、予め規定された条件が満たされたときに、条件データが記憶部に記憶されていない状態で無線通信部に対して電力を供給させているときには、電源部を制御して無線通信部に対して電力を供給している状態を維持させると共に第２の外部装置から送信されて無線通信部によって受信された条件データを記憶部に記憶させ、条件データが記憶されていない状態で無線通信部に対する電力の供給を停止させているときには、電源部を制御して無線通信部に対する電力の供給を開始させると共に第２の外部装置から送信されて無線通信部によって受信された条件データを記憶部に記憶させる。また、請求項１０記載の測定システム用プログラムでは、上記の測定装置に対して送信する条件データを、指定された開始条件に基づいて生成する処理、および生成した条件データを測定装置に対して送信する処理を第２の外部装置としての携帯端末装置の処理部に実行させる手順と、条件データに記録されている開始条件が満たされたときに測定装置から送信される測定結果データを受信して記録する処理を第１の外部装置としての携帯端末装置の処理部に実行させる手順とが記録されている。
【００２５】
したがって、請求項２記載の測定装置、および請求項１０記載の測定システム用プログラムによれば、任意の開始条件を記録した条件データを第２の外部装置において生成して測定装置の記憶部に記憶させることができるため、例えば、開始条件の指定操作が困難な場所に測定装置を設置している状態であっても、測定装置を操作することなく、任意の開始条件に従って無線通信部に対する電力の供給を開始させて測定装置から第１の外部装置に測定結果データを送信させることができる。
【００２６】
請求項３記載の測定装置では、予め規定された条件が満たされたときに、条件データが記憶部に記憶されていない状態で無線通信部に対して電力を供給させているときには、指定された開始条件に基づいて条件データを生成して記憶部に記憶させ、かつ電源部を制御して無線通信部に対して電力を供給している状態を維持させると共に記憶部に記憶させた条件データを無線通信部から第１の外部装置に送信させ、条件データが記憶されていない状態で無線通信部に対する電力の供給を停止させているときには、指定された開始条件に基づいて条件データを生成して記憶部に記憶させ、かつ電源部を制御して無線通信部に対する電力の供給を開始させると共に記憶部に記憶させた条件データを無線通信部から第１の外部装置に送信させる。また、請求項１１記載の測定システム用プログラムでは、請求項３記載の測定装置から送信される条件データを受信する処理、および条件データに記録されている開始条件が満たされたときに測定装置から送信される測定結果データを受信して記録する処理を第１の外部装置としての携帯端末装置の処理部に実行させる手順が記録されている。
【００２７】
したがって、請求項３記載の測定装置、および請求項１１記載の測定システム用プログラムによれば、任意の開始条件を記録した条件データを測定装置において生成して第１の外部装置に記憶させることができるため、例えば、一連の測定処理に先立ち、測定装置を操作して測定条件等を設定する際に開始条件を指定して条件データを生成することで、第１の外部装置を操作することなく、任意の開始条件に従って無線通信部に対する電力の供給を開始させて測定装置から第１の外部装置に測定結果データを送信させることができる。
【００２８】
請求項４記載の測定装置によれば、第１の外部装置に対する測定結果データの送信を開始する開始時刻と、予め規定された時点から第１の外部装置に対する測定結果データの送信を開始する時点までの第１の待機時間とのいずれかが開始条件として記録されている条件データに従って制御部が電源部および無線通信部を制御することにより、この種の装置の操作に不慣れな者であっても、開始条件を容易に指定することができ、これにより、利用者の希望に応じた条件に従って無線通信部に対する電力の供給を開始させることができる。
【００２９】
請求項５記載の測定装置によれば、第１の外部装置に対する測定結果データの送信を開始してから測定結果データの送信を完了するまで電源部を制御して無線通信部に対する電力の供給を継続させることにより、測定装置から第１の外部装置（携帯端末装置）への測定結果データの回収が完了する以前に終了条件が満たされて無線通信部に対する電力の供給が停止され、これにより、測定結果データの回収作業が中断してしまうという事態を招くことなく、回収すべき測定結果データを測定装置から第１の外部装置（携帯端末装置）に対して確実に送信させることができる。
【００３０】
請求項６記載の測定装置によれば、無線通信部に対する電力の供給を停止する停止時刻と、無線通信部に対する電力の供給を開始した時点から無線通信部に対する電力の供給を停止させる時点までの第２の待機時間とのいずれかが終了条件として記録されている条件データに従って制御部が電源部および無線通信部を制御することにより、この種の装置の操作に不慣れな者であっても、終了条件を容易に指定することができ、これにより、利用者の希望に応じた条件に従って無線通信部に対する電力の供給を停止させることができる。
【００３１】
請求項７記載の測定装置によれば、バッテリに蓄積されている電力の残量が予め規定された残量を下回っているときに電源部から無線通信部に対する電力の供給を停止させることにより、バッテリの残量が不足して測定部による測定処理を継続できない状態となるのを回避することができる。
【図面の簡単な説明】
【００３２】
【図１】測定システム１００における測定装置１およびスマートフォン２の構成を示す構成図である。
【図２】通信制御処理３０の一部を示すフローチャートである。
【図３】通信制御処理３０の他の一部を示すフローチャートである。
【発明を実施するための形態】
【００３３】
以下、電子機器および測定装置の実施の形態について、添付図面を参照して説明する。
【００３４】
図１に示す測定システム１００は、「測定システム」の一例であって、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。
【００３５】
なお、本例の測定システム１００では、スマートフォン２に代えて、各種のタブレット端末や携帯型パーソナルコンピュータなどの汎用の電子機器、または専用のデータ回収器（図示せず）などを備えて構成することもできるが、測定装置１およびスマートフォン２によって構成した例について以下に説明する。また、この測定システム１００については、複数台の測定装置１、および複数台のスマートフォン２を備えて構成することもできるが、発明についての理解を容易とするために、１台の測定装置１、および１台のスマートフォン２で構成した例について以下に説明する。
【００３６】
測定装置１は、「測定装置」の一例であって、測定部１１、操作部１２、表示部１３、無線通信部１４、制御部１５、記憶部１６および電源部１７を備えて構成されている。測定部１１は、制御部１５の制御に従い、予め設定されたサンプリング周期で入力信号をサンプリングして、図示しない測定対象についての被測定量（電流値、電圧値、抵抗値、電力値、位相、温度、湿度、輝度（光度）、照度、雨量および流量等）を示す測定値を制御部１５に出力する。
【００３７】
操作部１２は、一例として、電源スイッチ、測定処理（後述する測定結果データＤ２の記録処理）を開始／停止させるスタート／ストップスイッチ、および測定値や動作条件の表示を指示する表示スイッチなどの操作スイッチを備え、スイッチ操作に応じて操作信号を制御部１５に出力する。この場合、本例の測定装置１では、一例として、電源スイッチを２秒以上継続して操作することで測定装置１をオン状態／オフ状態に移行させることができ、電源スイッチを２秒未満の極く短時間だけ操作することで無線通信部１４に対する電力供給を開始／停止させることができる構成が採用されている。
【００３８】
表示部１３は、制御部１５の制御に従って測定部１１による測定結果を表示する。無線通信部１４は、「無線通信部」に相当し、一例として、ブルートゥース（Bluetooth ：登録商標）規格に準じた近距離無線通信を実行可能に構成されている。この無線通信部１４は、後述するように、電源部１７から電力が供給されることにより、予めペアリングされた無線通信機器（スマートフォン２等）との間で無線接続を確立し、接続を確立した機器に対する各種データの送信処理、および接続を確立した機器からの各種データの受信処理を実行する。
【００３９】
制御部１５は、測定装置１を総括的に制御する。具体的には、制御部１５は、電源部１７を制御して無線通信部１４を含む各構成要素に対する電力の供給および供給の停止を制御する。また、制御部１５は、予め設定された測定条件に従って測定部１１を制御することにより、上記の被測定量の測定処理を実行させる。さらに、制御部１５は、測定部１１から出力される測定値に基づいて測定結果データＤ２を生成して記憶部１６に記憶させる（測定結果の記録処理）。また、制御部１５は、後述するようにスマートフォン２等の外部装置において生成されて送信された送信条件データＤ０に従って電源部１７を制御して、無線通信部１４に対する電力の供給を開始／停止させると共に、スマートフォン２から送信される送信要求データＤ１に応じて記憶部１６に記憶されている測定結果データＤ２を無線通信部１４からスマートフォン２等の外部装置に送信させる。
【００４０】
記憶部１６は、「記憶部」の一例であって、制御部１５の動作プログラムや、上記の測定結果データＤ２および後述する送信条件データＤ０などを記憶する。電源部１７は、「電源部」の一例であって、交流電源ラインＬに接続可能に構成されると共に、「バッテリ」の一例であるバッテリ１７ａを装着可能に構成されている。この電源部１７は、制御部１５の制御に従い、交流電源ラインＬから入力した交流に基づいて生成した電力、およびバッテリ１７ａに蓄積されている電力のいずれかを測定装置１の各構成要素に供給する。
【００４１】
一方、スマートフォン２は、「第１の外部装置」および「第２の外部装置」としての「携帯端末装置」の一例であって、後述するように、この測定システム１００専用の測定システム用プログラムＤｐ（「測定システム用プログラム」の一例）がインストールされた既存の「スマートフォン」で構成されている（「第１の外部装置」および「第２の外部装置」を同一の装置で構成した例）。このスマートフォン２は、本体メモリ２１、操作部２２、表示部２３、無線通信部２４、制御部２５およびストレージメモリ装着部２６を備えて構成されている。なお、スマートフォン２における「携帯電話としての機能」や「ＰＤＡとしての機能」を実現するための構成要素については公知のため、図示および説明を省略する。
【００４２】
本体メモリ２１は、スマートフォン２の動作プログラムを記憶すると共に、測定システム用プログラムＤｐ等の各種プログラム（利用者がインストールしたプログラム）を記憶する。なお、測定システム用プログラムＤｐ等のプログラムの一部については、後述するようにストレージメモリ装着部２６に装着されたストレージメモリＭに記憶させる（インストールする）こともできる。
【００４３】
この場合、測定システム用プログラムＤｐは、「測定システム用プログラム」の一例であって、利用者によって指定された開始条件（測定装置１からスマートフォン２への測定結果データＤ２の送信処理等を開始させる条件）等に基づいて送信条件データＤ０（「条件データ」の一例）を生成する処理、生成した送信条件データＤ０を測定装置１に対して送信する処理、および送信条件データＤ０に記録されている開始条件が満たされたときに、無線通信部２４から測定装置１に送信要求データＤ１を送信させると共に測定装置１から送信されて無線通信部２４によって受信された測定結果データＤ２をストレージメモリ装着部２６に装着されたストレージメモリＭに記憶させる処理などを制御部２５に実行させる手順が記録されている。
【００４４】
操作部２２は、電源スイッチ等の物理的な操作スイッチと、表示部２３の表面側に配設されたタッチパネルとを備え、これらの操作に応じた操作信号を制御部２５に出力する。表示部２３は、制御部２５の制御に従って各種の表示画面（図示せず）を表示する。無線通信部２４は、測定装置１の無線通信部１４と同様にして、ブルートゥース規格に準じた近距離無線通信を実行可能に構成されている。この無線通信部２４は、後述するように、測定装置１との間でペアリングされた状態において、制御部２５の制御に従って測定装置１に送信条件データＤ０や送信要求データＤ１を送信すると共に、測定装置１から送信された測定結果データＤ２を受信して制御部２５に出力する。
【００４５】
制御部２５は、スマートフォン２を総括的に制御する。具体的には、制御部２５は、「処理部」の一例であって、測定システム用プログラムＤｐの記述に従い、送信条件データＤ０を生成する処理、生成した送信条件データＤ０を測定装置１に対して送信する処理、および測定装置１から測定結果データＤ２を送信させてストレージメモリＭに記憶させる処理などを実行する。ストレージメモリ装着部２６は、ストレージメモリ（メモリーカード）Ｍを装着可能に構成されて、制御部２５の制御に従い、送信条件データＤ０や、測定装置１から送信された測定結果データＤ２などをストレージメモリＭに記憶させる。なお、送信条件データＤ０や測定結果データＤ２については、その一部または全部を本体メモリ２１に記憶させることもできる。
【００４６】
この測定システム１００の使用に際しては、まず、スマートフォン２に測定システム用プログラムＤｐをインストールする。この測定システム用プログラムＤｐについては、一例として、測定装置１の附属品としてインストール用光ディスクを提供したり、インターネット内の任意のサイトからダウンロードして使用するようにしたりすることができる。なお、測定システム用プログラムＤｐのインストール作業に関しては、「スマートフォン」に対する各種プログラムのインストール作業と同様のため、詳細な説明を省略する。
【００４７】
次いで、測定装置１とスマートフォン２との間においてブルートゥースのペアリングを行う。なお、ペアリング作業に関しては、公知の各種ブルートゥース機器のペアリング作業と同様のため、詳細な説明を省略する。これにより、測定システム１００を使用する準備が整う。このように、スマートフォン２に対する測定システム用プログラムＤｐのインストール、および測定装置１とスマートフォン２とのペアリング作業を予め実施しておくことにより、測定装置１による測定処理、および測定装置１からスマートフォン２の測定結果データＤ２の回収作業を迅速に開始することが可能となる。
【００４８】
一方、測定装置１による測定処理やスマートフォン２による測定結果データＤ２の回収作業を行う際には、スマートフォン２において測定システム用プログラムＤｐを起動して送信条件データＤ０を生成する。なお、以下の説明においては、スマートフォン２との間の上記のペアリング作業や、測定処理の条件（測定条件）の設定作業が完了した状態で測定装置１が電源オフ状態となっているものとする。
【００４９】
送信条件データＤ０の生成に際しては、制御部２５が測定システム用プログラムＤｐの記述に従って表示部２３に表示させた図示しない条件設定画面を見ながら、一例として、スマートフォン２によって測定装置１から測定結果データＤ２を回収する処理を開始する開始時刻（測定装置１においてスマートフォン２に対する測定結果データＤ２の送信処理を開始させる開始時刻：「開始条件」としての「第１の外部装置に対する測定結果データの送信を開始する開始時刻」の一例）と、測定装置１から測定結果データＤ２を回収する処理を終了する終了時刻（測定装置１においてスマートフォン２に対する測定結果データＤ２の送信処理を終了して無線通信部１４に対する電力の供給を停止させる停止時刻：「終了条件」としての「無線通信部に対する電力の供給を停止する停止時刻」の一例）とを指定する。
【００５０】
これに応じて、制御部２５が、指定された条件に基づいて送信条件データＤ０を生成し、生成した送信条件データＤ０をストレージメモリ装着部２６に装着されているストレージメモリＭに記憶させる。これにより、スマートフォン２による測定装置１からの測定結果データＤ２の回収準備が整う。
【００５１】
次いで、測定装置１における操作部１２の電源スイッチを操作して測定装置１を電源オン状態とし、任意の測定場所に設置する。この際に、制御部１５は、後述する通信制御処理３０（図２，３参照）とは別個に、予め設定された測定条件に従って測定部１１を制御して測定処理を実行させる。これにより、測定部１１による測定結果に基づいて測定結果データＤ２が生成され、生成された測定結果データＤ２が記憶部１６に順次記憶される。なお、測定部１１による測定処理や、制御部１５による測定結果データＤ２の生成処理、および記憶部１６への記憶処理については、この種の測定装置において実施される各処理と同様のため、詳細な説明を省略する。
【００５２】
また、制御部１５は、測定装置１に電源が投入された直後に、図２，３に示す通信制御処理３０を開始する。この通信制御処理３０では、制御部１５は、まず、電源部１７が交流電源ラインＬに接続されているか否かを判別する（ステップ３１）。この場合、電源部１７が交流電源ラインＬに接続されていないときには、バッテリ１７ａの残量が予め規定された残量（一例として、２０％）以上であるか否かを判別する（ステップ３２）。この際に、バッテリ１７ａの残量が２０％を下回っているときには、上記のステップ３１に戻って電源部１７が交流電源ラインＬに接続されたか否かを監視する。
【００５３】
一方、上記のステップ３１において電源部１７が交流電源ラインＬに接続されていると判別したとき（「予め規定された条件」が満たされたときの一例）、またはステップ３２において電源部１７の残量が２０％以上であると判別したとき（「予め規定された条件」が満たされたときの他の一例）に、制御部１５は、電源部１７を制御して無線通信部１４に対する電力の供給を開始させると共に（ステップ３３）、記憶部１６に送信条件データＤ０が記憶されているか否か（後述する無線通信部１４に対する電力の供給制御を行うか否か）を判別する（ステップ３４）。
【００５４】
この際に、ステップ３３において無線通信部１４に対する電力の供給が開始されることで、前述したペアリング作業が完了しているスマートフォン２の無線通信部２４がオン状態に制御されているときには、測定装置１の無線通信部１４とスマートフォン２の無線通信部１４との間の接続が確立されて相互に無線通信を行うことが可能な状態となる。また、制御部１５は、ステップ３３において無線通信部１４に対する電力の供給を開始させた状態で、ステップ３４において送信条件データＤ０が記憶部１６に記憶されていないと判別したとき（「条件データが記憶部に記憶されていない状態で無線通信部に対して電力を供給させているとき」の一例）に、電源部１７を制御して無線通信部１４に対して電力を供給している状態を維持させると共に、スマートフォン２からのデータ送信の有無を監視する（ステップ３５）。
【００５５】
なお、本例の測定装置１では、前述したように、無線通信部１４に対して電力が供給されている状態において操作部１２の電源スイッチを２秒未満の極く短時間だけ操作することで無線通信部１４に対する電力供給を停止させることが可能となっている。したがって、ステップ３３において無線通信部１４に対する電力の供給を開始させた直後（ステップ３４において送信条件データＤ０が記憶部１６に記憶されていないと判別する直前）に電源スイッチの操作によって無線通信部１４に対する電力供給が停止させられたときに（「条件データが記憶されていない状態で無線通信部に対する電力の供給を停止させているとき」の一例）、制御部１５は、電源部１７を制御して無線通信部１４に対する電力の供給を開始させた後に、スマートフォン２からのデータ送信の有無を監視する（ステップ３５）。
【００５６】
一方、ステップ３５においてスマートフォン２からデータが送信されていないと判別したときには、制御部１５は、前述したようにスマートフォン２において送信条件データＤ０を生成する際に利用者によって指定されて送信条件データＤ０に記録されている「停止条件」が満たされたか否か（本例では、停止時刻が到来したか否か）の判別（ステップ３６）、電源部１７が交流電源ラインＬに接続されているか否かの判別（ステップ３７）、交流電源ラインＬに接続されていない状態においてバッテリ１７ａの残量が２０％以上であるか否かの判別（ステップ３８）、およびスマートフォン２からデータが送信されたか否かの判別（ステップ３５）を繰り返して実行する。
【００５７】
また、スマートフォン２では、上記したように測定装置１に電源が投入されて無線通信部１４への電力の供給が開始されることで無線通信部２４と無線通信部１４との無線接続が確立したときに、制御部２５が測定システム用プログラムＤｐの記述に従い、測定装置１に対して未送信の送信条件データＤ０がストレージメモリＭに記憶されているか否かを判別する。この際に、本例では、利用者によって指定された条件に従って生成して測定装置１に対して未送信の送信条件データＤ０が存在するため、制御部２５は、この送信条件データＤ０をストレージメモリＭから読み出して無線通信部２４から測定装置１に送信させる。
【００５８】
これに応じて、測定装置１では、スマートフォン２から送信された送信条件データＤ０が無線通信部１４によって受信されたときに、制御部１５が、スマートフォン２からデータが送信され（ステップ３５）、そのデータが送信条件データＤ０であると判別する（ステップ３９）。次いで、制御部１５は、受信された送信条件データＤ０を記憶部１６に記憶させると共に（ステップ４０）、電源部１７を制御して無線通信部１４に対する電力の供給を停止させた後に（ステップ４１）、後述するステップ４２の処理を開始する。これにより、測定装置１の無線通信部１４とスマートフォン２の無線通信部２４との無線接続が切断されて測定装置１に対して利用者の意に反する無線接続（無線通信部１４に対する意図しないアクセス）が行われることのない状態となり、かつ無線通信部１４による電力の浪費が回避される。
【００５９】
なお、本例の測定システム１００では、一例として、スマートフォン２から測定装置１への送信条件データＤ０の送信時に、測定装置１に内部時計をスマートフォン２の内部時計と一致させる時刻補正処理が行われるが、通信制御処理３０についての理解を容易とするために、この時刻補正処理についての詳細な説明を省略する。
【００６０】
また、上記の例とは相違するが、測定装置１の前回起動時に上記の一連の処理が実行されたときには、送信条件データＤ０が記憶部１６に既に記憶された状態となっている。この際に、制御部１５は、ステップ３３において無線通信部１４に対する電力の供給を開始させた状態で、ステップ３４において記憶部１６に送信条件データＤ０が既に記憶されていると判別したとき（「条件データが記憶されている状態で無線通信部に対して電力を供給させているとき」の一例）に、上記のステップ３５からステップ４０の各処理を実行することなく、電源部１７を制御して無線通信部１４への電力の供給を停止させた後に（ステップ４１）、後述するステップ４２の処理を開始する。
【００６１】
なお、ステップ３３において無線通信部１４に対する電力の供給を開始させた直後（ステップ３４において送信条件データＤ０が記憶部１６に既に記憶されていると判別する直前）に電源スイッチの操作によって無線通信部１４に対する電力供給が停止させられたときに（「条件データが記憶されている状態で無線通信部に対する電力の供給を停止させているとき」の一例）に、制御部１５は、電源部１７を制御して無線通信部１４に対する電力の供給を停止している状態を維持させると共に、上記のステップ３５からステップ４０の各処理を実行することなく、後述するステップ４２の処理を開始する。
【００６２】
続いて、制御部１５は、送信条件データＤ０に記録されている「開始条件（無線通信部１４に対する電力供給開始条件）」が満たされたか否かを監視する（ステップ４２）。また、前述したようにスマートフォン２において送信条件データＤ０を生成した際に利用者によって指定されて送信条件データＤ０に記録されている開始時刻が到来したとき（「開始条件」が満たされたとき）に、制御部１５は、電源部１７が交流電源ラインＬに接続されているか否かの判別（ステップ４３）、および交流電源ラインＬに接続されていない状態においてバッテリ１７ａの残量が２０％以上であるか否かの判別（ステップ４４）を実行する。
【００６３】
この際に、例えば、「開始条件」が満たされた時点において（ステップ４２）、電源部１７が交流電源ラインＬに接続されておらず（ステップ４３）、かつバッテリ１７ａの残量が２０％を下回っているときに（ステップ４４）、制御部１５は、送信条件データＤ０に記録されている「停止条件」（電力供給停止条件）が満たされたか否か（本例では、送信条件データＤ０を生成した際に利用者によって指定された停止時刻が到来したか否か）を判別する（ステップ４５）。
【００６４】
したがって、交流電源ラインＬに接続されていない状態において、スマートフォン２に対する測定結果データＤ２の送信処理を開始する時刻まで待機している間にバッテリ１７ａの残量が不足する状態となったときには、利用者によって指定された停止時刻が到来した時点において、送信条件データＤ０に他の電源制御条件が記録されているか否かを判別し（ステップ４６）、他の条件が存在しないときには、電源部１７から無線通信部１４への電力の供給を再開することなく、この通信制御処理３０を終了する。これにより、バッテリ１７ａの残量が２０％を下回る状態において測定結果データＤ２の送信処理が実行されて測定装置１の動作可能時間（測定処理等を継続可能な時間）が短くなる事態が回避される。
【００６５】
一方、上記のステップ４２において「開始条件」が満たされたと判別した際に、電源部１７が交流電源ラインＬに接続されているとき（ステップ４３）、または、交流電源ラインＬに接続されていない状態においてバッテリ１７ａの残量が２０％以上のときに（ステップ４４）、制御部１５は、電源部１７を制御して無線通信部１４に対する電力の供給を開始させる（ステップ４７）。この際に、前述したペアリング作業が完了しているスマートフォン２の無線通信部２４がオン状態に制御されているときには、測定装置１の無線通信部１４とスマートフォン２の無線通信部１４との間の接続が確立されて相互に無線通信を行うことが可能な状態となる。
【００６６】
また、制御部１５は、前述したように、スマートフォン２からのデータ送信の有無の監視（ステップ３５）、送信条件データＤ０に記録されている「停止条件」が満たされたか否かの判別（ステップ３６）、電源部１７が交流電源ラインＬに接続されているか否かの判別（ステップ３７）、交流電源ラインＬに接続されていない状態においてバッテリ１７ａの残量が２０％以上であるか否かの判別（ステップ３８）、およびスマートフォン２からデータが送信されたか否かの判別（ステップ３５）を繰り返して実行する。
【００６７】
一方、スマートフォン２では、送信条件データＤ０に記録されている「開始条件」としての開始時刻が到来した後に測定装置１の無線通信部１４と無線通信部２４との間の無線接続が確立されたときに、制御部２５が、無線通信部２４から測定装置１に送信要求データＤ１を送信させる。なお、２台以上のスマートフォン２等（外部装置）を備えて測定システム１００を構成した場合には、前述した送信条件データＤ０の送信を行ったスマートフォン２等とは別個の外部装置（測定装置１とのペアリング作業が完了している装置）を用いて測定結果データＤ２の回収作業（送信要求データＤ１の送信）を実行することもできる。
【００６８】
また、測定装置１では、スマートフォン２から送信された送信要求データＤ１が無線通信部１４によって受信されたときに、制御部１５が、スマートフォン２からデータの送信が行われ（ステップ３５）、そのデータが送信条件データＤ０ではなく（ステップ３９）、送信要求データＤ１であると判別する（ステップ４８）。また、制御部１５は、スマートフォン２からの送信要求データＤ１に応じて記憶部１６から測定結果データＤ２を読み出すと共に、読み出した測定結果データＤ２を無線通信部１４からスマートフォン２に送信させる（「無線通信部から第１の外部装置に対して測定結果データを送信させる」との処理の一例：ステップ４９）。
【００６９】
さらに、制御部１５は、スマートフォン２に対して未送信の測定結果データＤ２が記憶部１６に記憶されているか否かを判別し（ステップ５０）、未送信の測定結果データＤ２が存在するときには、電源部１７を制御して無線通信部１４に対して電力を供給している状態を維持させつつ、その後に、電源部１７が交流電源ラインＬに接続されているか否かの判別（ステップ５１）、交流電源ラインＬに接続されていない状態においてバッテリ１７ａの残量が２０％以上であるか否かの判別（ステップ５２）、およびスマートフォン２からデータが送信されたか否かの判別（ステップ５３）を繰り返して実行する。
【００７０】
また、スマートフォン２では、測定装置１の無線通信部１４から測定結果データＤ２が送信されたときに、制御部２５が、無線通信部２４によって受信された測定結果データＤ２をストレージメモリ装着部２６に装着されているストレージメモリＭに記憶させると共に、次の測定結果データＤ２の送信を要求する送信要求データＤ１を無線通信部２４から測定装置１に送信させる。これに応じて、測定装置１では、スマートフォン２からの送信要求データＤ１が無線通信部１４によって受信されたときに、制御部１５が、スマートフォン２から送信要求データＤ１が送信されたと判別し（ステップ５３，４８）、記憶部１６から測定結果データＤ２を読み出して無線通信部１４からスマートフォン２に送信させる（ステップ４９）。
【００７１】
このように、スマートフォン２からの送信要求データＤ１に応じて無線通信部１４からスマートフォン２に測定結果データＤ２を送信する処理を繰り返し実行することにより、スマートフォン２に対して未送信の測定結果データＤ２が記憶部１６に記憶されていない状態となったときに（ステップ５０）、制御部１５は、電源部１７を制御して無線通信部１４に対する電力の供給を停止する（「第１の外部装置に対する測定結果データの送信を開始してから測定結果データの送信を完了するまで電源部を制御して無線通信部に対して電力を供給している状態を維持させる」との処理の一例：ステップ５４）。これにより、測定装置１の無線通信部１４とスマートフォン２の無線通信部２４との無線接続が切断されて測定装置１に対して利用者の意に反する無線接続（無線通信部１４に対する意図しないアクセス）が行われることのない状態となり、かつ無線通信部１４による電力の浪費が回避される。
【００７２】
また、制御部１５は、無線通信部１４への電力供給を停止させた後に、前述したステップ４６に戻って送信条件データＤ０に他の電源制御条件が記録されているか否かを判別し（ステップ４６）、他の条件が存在しないときには、電源部１７から無線通信部１４への電力の供給を再開することなく、この通信制御処理３０を終了する。一方、送信条件データＤ０に他の条件が記録されているとき（例えば、２回目以降のデータ回収処理を行うために、他の開始時刻および停止時刻が記録されているとき）に、制御部１５は、前述したステップ４２に戻って「開始条件」が満たされたか否かの監視を開始する。これにより、２回目のデータ回収処理に関する「開始条件」および「停止条件」が送信条件データＤ０に記録されているときには、前述したスマートフォン２に対する測定結果データＤ２の送信処理時と同様の処理が実行され、処理完了後に、無線通信部１４に対する電力供給が停止する。
【００７３】
なお、本例の測定システム１００（測定装置１）では、前述した送信条件データＤ０や送信要求データＤ１に代えて、測定装置１に対して任意の処理を実行させる制御コマンドを記録した制御データをスマートフォン２から送信することにより、測定装置１に対して任意の処理をさせることが可能となっている。具体的には、一例として、未送信の測定結果データＤ２の有無を問わず、スマートフォン２に対する測定結果データＤ２の送信処理を停止させる制御コマンドを記録したデータがスマートフォン２から送信されたときに、測定装置１では、制御部１５が、データの送信があり（ステップ３５）、そのデータが送信条件データＤ０や送信要求データＤ１ではないと判別する（ステップ３９，４８）。次いで、制御部１５は、そのデータに応じた処理（この例では、送信処理の停止）を実行し（ステップ５５）、電源部１７から無線通信部１４への電力の供給を停止させた後に（ステップ５４）、前述したステップ４６の判別処理を実行する。
【００７４】
また、上記の例とは相違するが、本例の測定システム１００（測定装置１）では、送信条件データＤ０に従って電源部１７から無線通信部１４への電力の供給を制御する上記のような使用態様に代えて、スマートフォン２から測定装置１に送信条件データＤ０を送信せずに使用することにより、出願人が特許文献１に開示している測定システム（測定装置）と同様にして、測定装置１がオン状態となっている間、電源スイッチの操作によって無線通信部１４に対する電力供給を手動で停止させたときを除き、電源部１７から無線通信部１４に対して常時電力を供給させることが可能となっている。
【００７５】
具体的には、通信制御処理３０のステップ３３において電源部１７から無線通信部１４への供給が開始された後に、スマートフォン２から測定装置１に送信条件データＤ０を送信しない状態を維持することにより、測定装置１では、記憶部１６に送信条件データＤ０が記憶されていないと判別され（ステップ３４）、無線通信部１４に対する電力の供給が停止されることなく、スマートフォン２からのデータ送信を監視する処理（ステップ３５）、電源部１７が交流電源ラインＬに接続されているか否かを判別する処理（ステップ３７）、およびバッテリ１７ａの残量が２０％以上であるか否かを判別する処理（ステップ３８）が繰り返し実行される。なお、この際には、記憶部１６に送信条件データＤ０が記憶されていないことで、ステップ３６において常に「停止条件（電力供給停止条件）」が満たされていないと判別される。これにより、測定装置１から測定結果データＤ２を回収する際には、スマートフォン２から測定装置１に送信要求データＤ１を送信することにより、その送信要求データＤ１が無線通信部１４によって受信されて測定装置１からスマートフォン２に測定結果データＤ２が送信される。
【００７６】
このように、この測定装置１では、「予め規定された条件」が満たされたとき（本例では、電源部１７が交流電源ラインＬに接続されているとき、または、交流電源ラインＬに接続されていない電源部１７におけるバッテリ１７ａの残量が２０％以上のとき：ステップ３１，３２）に、無線通信部１４に対する電力の供給を開始させ（ステップ３３）、その状態で（ステップ３３）送信条件データＤ０が記憶されていると判別したとき（「条件データが記憶されている状態で前記無線通信部に対して電力を供給させているとき」：ステップ３４）には、電源部１７から無線通信部１４への電力の供給を停止させ（ステップ４１）、無線通信部１４に対する電力の供給を開始させた後に（ステップ３３）手動操作によって無線通信部１４に対する電力の供給が停止させられた状態で送信条件データＤ０が記憶部１６に記憶されていると判別したとき（「条件データが記憶部に記憶されている状態で無線通信部に対する電力の供給を停止させているとき」：ステップ３４）には、電源部１７を制御して無線通信部１４に対する電力の供給を停止している状態を維持させ、その後に、送信条件データＤ０に記録されている「開始条件」が満たされたときに（ステップ４２）電源部１７を制御して無線通信部１４に対して電力の供給を開始させる処理を実行して（ステップ４７）無線通信部１４からスマートフォン２に測定結果データＤ２を送信させる（ステップ４９）。また、この測定システム１００では、上記の測定装置１とスマートフォン２とを備えている。
【００７７】
したがって、この測定装置１および測定システム１００によれば、スマートフォン２に対するデータの送信を行う必要が生じたときに無線通信部１４に対する電力の供給が開始されるような「開始条件」が記録されている送信条件データＤ０を記憶部１６に記憶させておくことにより、スマートフォン２に対するデータの送信を行う必要がないときに、「開始条件」が満たされないことで電源部１７から無線通信部１４への電力の供給が停止した状態となるため、その分だけ、無線通信部１４による電力の消費量を軽減することができると共に、利用者の意に反した無線通信部１４へのアクセスが行われる可能性を十分に低減することができる。これにより、バッテリ駆動状態での測定装置１の動作可能時間を十分に長くすることができ、また、セキュリティを損なうことなく測定装置１において測定処理等を継続させることができる。また、スマートフォン２によって測定装置１から測定結果データＤ２を回収する際には、「開始条件」が満たされたときに電源部１７から無線通信部１４に電力が供給されて測定装置１からスマートフォン２に測定結果データＤ２が送信されるため、例えば、利用者の手が届き難い場所に測定装置１を設置した状態においても、測定装置１からスマートフォン２に測定結果データＤ２を確実かつ容易に回収することができる。
【００７８】
また、この測定装置１では、無線通信部１４に対する電力の供給を開始させた状態で（ステップ３３）送信条件データＤ０が記憶部１６に記憶されていないと判別したとき（「条件データが記憶部に記憶されていない状態で無線通信部に対して電力を供給させているとき」：ステップ３４）には、電源部１７を制御して無線通信部１４に対して電力を供給している状態を維持させ、無線通信部１４に対する電力の供給を開始させた後に（ステップ３３）手動操作によって無線通信部１４に対する電力の供給が停止させられた状態で送信条件データＤ０が記憶部１６に記憶されていないと判別したとき（「条件データが記憶部に記憶されていない状態で無線通信部に対する電力の供給を停止させているとき」：ステップ３４）には、電源部１７を制御して無線通信部１４に対する電力の供給を開始させ、その後に、スマートフォン２から送信されて無線通信部１４によって受信された送信条件データＤ０を記憶部１６に記憶させる（ステップ４０）。
【００７９】
また、この測定システム用プログラムＤｐでは、上記の測定装置１に対して送信する送信条件データＤ０を、指定された「開始条件」に基づいて生成する処理、および生成した送信条件データＤ０を測定装置１に対して送信する処理をスマートフォン２の制御部２５に実行させる手順と、送信条件データＤ０に記録されている「開始条件」が満たされたときに測定装置１から送信される測定結果データＤ２を受信して記録する処理をスマートフォン２の制御部２５に実行させる手順とが記録されている。
【００８０】
したがって、この測定装置１および測定システム用プログラムＤｐによれば、任意の「開始条件」を記録した送信条件データＤ０をスマートフォン２において生成して測定装置１の記憶部１６に記憶させることができるため、例えば、「開始条件」の指定操作が困難な場所に測定装置１を設置している状態であっても、測定装置１を操作することなく、任意の「開始条件」に従って無線通信部１４に対する電力の供給を開始させて測定装置１からスマートフォン２に測定結果データＤ２を送信させることができる。
【００８１】
また、この測定装置１および測定システム１００によれば、スマートフォン２に対する測定結果データＤ２の送信を開始する開始時刻が「開始条件」として記録されている送信条件データＤ０に従って制御部１５が電源部１７および無線通信部１４を制御することにより、この種の装置の操作に不慣れな者であっても、「開始条件」を容易に指定することができ、これにより、利用者の希望に応じた条件に従って無線通信部１４に対する電力の供給を開始させることができる。
【００８２】
さらに、この測定装置１および測定システム１００によれば、スマートフォン２に対する測定結果データＤ２の送信を開始してから測定結果データＤ２の送信を完了するまで電源部１７を制御して無線通信部１４に対して電力を供給している状態を維持させることにより、測定装置１からスマートフォン２への測定結果データＤ２の回収が完了する以前に「終了条件」が満たされて無線通信部１４に対する電力の供給が停止され、これにより、測定結果データＤ２の回収作業が中断してしまうという事態を招くことなく、回収すべき測定結果データＤ２を測定装置１からスマートフォン２に対して確実に送信させることができる。
【００８３】
また、この測定装置１および測定システム１００によれば、無線通信部１４に対する電力の供給を停止する「停止時刻」が「終了条件」として記録されている送信条件データＤ０に従って制御部１５が電源部１７および無線通信部１４を制御することにより、この種の装置の操作に不慣れな者であっても、「終了条件」を容易に指定することができ、これにより、利用者の希望に応じた条件に従って無線通信部１４に対する電力の供給を停止させることができる。
【００８４】
さらに、この測定装置１および測定システム１００によれば、バッテリ１７ａに蓄積されている電力の残量が予め規定された残量（本例では、２０％）を下回っているときに（ステップ３８，５２）電源部１７（バッテリ１７ａ）から無線通信部１４に対する電力の供給を停止させることにより（ステップ５４）、バッテリ１７ａの残量が不足して測定部１１による測定処理を継続できない状態となるのを回避することができる。
【００８５】
なお、「測定装置」および「測定システム」の構成や、「測定システム用プログラム」の記述内容については、上記の例に限定されない。例えば、電源部１７が交流電源ラインＬに接続されているとき、または、交流電源ラインＬに接続されていない電源部１７におけるバッテリ１７ａの残量が２０％以上のときに「予め規定された条件」が満たされたとして、送信条件データＤ０が記憶部１６に記憶されているか否かを判別するステップ３４の処理を実行する例について説明したが、そのような構成に代えて（または、そのような構成に加えて）、例えば、予め規定されたスイッチ操作が行われたとき（「予め規定された条件」が満たされたときのさらに他の一例）に、送信条件データＤ０が記憶部１６に記憶されているか否かを判別する処理を実行する構成を採用することもできる。また、「測定装置」に電源が投入されたとき（「予め規定された条件」が満たされたときのさらに他の一例）に、交流電源ラインＬへの接続状態やバッテリ１７ａの残量に関する判別を行うことなく、送信条件データＤ０が記憶部１６に記憶されているか否かを判別する処理を実行する構成を採用することもできる。
【００８６】
また、記憶部１６に送信条件データＤ０が記憶されているか否かを判別する処理（ステップ３４）に先立ち、ステップ３３において無線通信部１４に対する電力の供給を開始させ、ステップ３４において送信条件データＤ０が記憶されていないと判別したときに、電源部１７を制御して無線通信部１４に対して電力を供給している状態を維持させる例について説明したが、上記のステップ３３（電力の供給を開始させる処理）を実行することなく、ステップ３４を実行し、その際に、送信条件データＤ０が記憶されていないと判別したとき（「条件データが記憶されていない状態で無線通信部に対する電力の供給を停止させているとき」の他の一例）に、電源部１７を制御して無線通信部１４に対して電力の供給を開始させる構成や、上記のステップ３３（電力の供給を開始させる処理）を実行することなく、ステップ３４を実行し、その際に、送信条件データＤ０が記憶されていると判別したとき（「条件データが記憶されている状態で前記無線通信部に対する電力の供給を停止させているとき」の他の一例）に、電源部１７を制御して無線通信部１４に対する電力の供給を停止している状態を維持させる構成を採用することもできる。
【００８７】
さらに、「開始条件」としての「開始時刻」が記録されると共に、「終了条件」としての「停止時刻」が記録されている送信条件データＤ０に従って制御部１５が電源部１７を制御する例について説明したが、予め規定された時点（一例として、スマートフォン２から測定装置１への送信条件データＤ０の送信が完了した時点）から測定結果データＤ２の送信処理を開始する時点までの待機時間（「第１の待機時間」の一例）が「開始条件」として記録されている送信条件データＤ０や、電源部１７から無線通信部１４への電力の供給を開始した時点から無線通信部１４に対する電力の供給を停止させる時点までの待機時間（「第２の待機時間」の一例）が「終了条件」として記録されている送信条件データＤ０に従って制御部１５に電源部１７を制御させることもできる。このような条件に従って電源部１７を制御させた場合においても、上記の例と同様の効果を奏することができる。
【００８８】
また、測定装置１に対して利用者の意に反する無線接続が行われる可能性が低いときには、上記の通信制御処理３０に代えて、電源部１７が交流電源ラインＬに接続されているときに無線通信部１４に対する電力の供給を停止させることなく電源部１７から無線通信部１４に電力を継続的に供給させる構成を採用することもできる。そのような構成を採用した場合においても、電源部１７が交流電源ラインＬに接続されていない状態、すなわち、バッテリ駆動状態において、バッテリ１７ａから無線通信部１４への不要な電力の供給を好適に回避することができる。
【００８９】
さらに、上記の測定システム１００（測定装置１、スマートフォン２および測定システム用プログラムＤｐ）の構成に加えて、測定装置１がバッテリ駆動状態のときに、測定装置１からスマートフォン２に電源部１７（バッテリ１７ａ）の残量に関する情報（または、その残量によって継続動作可能な時間に関する情報）を送信し、スマートフォン２の表示部２３に、測定装置１の継続動作可能な時間を表示させる構成を採用することもできる。このような構成を採用することで、測定装置１におけるバッテリ１７ａの残量が不足して、電源部１７（バッテリ１７ａ）から無線通信部１４への電力供給が停止するか否かを利用者に対して認識させ、必要に応じてバッテリ１７ａを交換させたり、測定装置１（電源部１７）を交流電源ラインＬに接続させたりすることができるため、測定装置１から測定結果データＤ２を一層確実に回収することが可能となる。
【００９０】
また、測定装置１からスマートフォン２への測定結果データＤ２の送信処理に際して、未送信の測定結果データＤ２が存在するときに、電源部１７を制御して無線通信部１４に対して電力を供給している状態を維持させる例について説明したが、このような構成に代えて、未送信の測定結果データＤ２の存在を問わず、予め規定された「終了条件」が満たされたときに電源部１７を制御して無線通信部１４に対する電力の供給を停止させる構成を採用することもできる。
【００９１】
さらに、「条件データ」としての送信条件データＤ０をスマートフォン２において生成して測定装置１に記憶させる利用形態の例について説明したが、「条件データ」については、「測定装置」において生成したものを「第１の外部装置」に送信することもできる。具体的には、まず、上記の測定システム用プログラムＤｐに代えて、「測定装置」から送信される「条件データ」を受信する処理、および「条件データ」に記録されている「開始条件」が満たされたときに「測定装置」から送信される「測定結果データ」を受信して記録する処理を「処理部」に実行させる手順が記録されている「測定システム用プログラム」を「第１の外部装置」としての「携帯端末装置」にインストールする。
【００９２】
次いで、「測定装置」の電源を投入してオン状態とする。この際に、「測定装置」の「制御部」は、「予め規定された条件」が満たされたとき（例えば、「電源部」が交流電源ラインに接続されているとき、または、交流電源ラインに接続されていない「電源部」における「バッテリ」の残量が２０％以上のとき）に、「電源部」を制御して「無線通信部」に対する電力の供給を開始させた後に「条件データ」が「記憶部」に記憶されているか否かを判別する処理を実行し、「条件データ」が記憶されていないとき（「条件データが記憶されていない状態で無線通信部に対して電力を供給させているとき」の一例）には、「電源部」を制御して「無線通信部」に対して電力を供給している状態を維持すると共に、利用者によって指定された「開始条件」に基づいて「条件データ（一例として、前述した送信条件データＤ０と同様のデータ）」を生成して「記憶部」に記憶させ、「無線通信部」に対する電力の供給を開始させた直後に手動操作等によって電力の供給が停止させられた状態において「条件データ」が記憶されていないと判別したとき（「条件データが記憶されていない状態で無線通信部に対する電力の供給を停止させているとき」の一例）には、「電源部」を制御して「無線通信部」に対する電力の供給を開始させた後に、利用者によって指定された「開始条件」に基づいて「条件データ（一例として、前述した送信条件データＤ０と同様のデータ）」を生成して「記憶部」に記憶させ、その後に、「記憶部」に記憶させた「条件データ」を「無線通信部」から「携帯端末装置」に送信させる。
【００９３】
一方、上記のような「予め規定された条件」が満たされたときに、「電源部」を制御して「無線通信部」に対する電力の供給を開始させた状態で「条件データ」が「記憶部」に記憶されていると判別したとき（一例として、上記のような処理を実行することで、「条件データ」の「記憶部」への記憶が完了したとき：「条件データが記憶されている状態で無線通信部に対して電力を供給させているとき」の一例）には、「電源部」から「無線通信部」への電力の供給を停止させると共に、「条件データ」に記録されている「開始条件」が満たされたか否かの監視を開始し、「無線通信部」に対する電力の供給を開始させた直後に手動操作等によって電力の供給が停止させられた状態において「条件データ」が「記憶部」に記憶されていると判別したとき（「条件データが記憶されている状態で無線通信部に対する電力の供給を停止させているとき」の一例）には、「無線通信部」対する電力の供給を停止している状態を維持させると共に、「条件データ」に記録されている「開始条件」が満たされたか否かの監視を開始する。
【００９４】
また、「開始条件」が満たされたときに、「制御部」は、「電源部」を制御して「無線通信部」に対して電力の供給を開始させると共に、「無線通信部」から「第１の外部装置」に「測定結果データ」を送信させる。なお、「条件データ」に従って「無線通信部」に対する電力の供給を開始／停止させる処理や、「携帯端末装置」に対して「測定結果データ」を送信する処理については、前述した測定装置１による通信制御処理３０のステップ３５以降の処理と同様のため、詳細な説明を省略する。
【００９５】
このように構成した「測定装置」、そのような「測定装置」を備えた「測定システム」、および上記のような各処理を「携帯端末装置」の「処理部」に実行させる手順が記録されている「測定システム用プログラム」によれば、任意の「開始条件」を記録した「条件データ」を「測定装置」において生成して「携帯端末装置（第２の外部装置）」に記憶させることができるため、例えば、一連の測定処理に先立ち、「測定装置」を操作して測定条件等を設定する際に「開始条件」を指定して「条件データ」を生成することで、「携帯端末装置」を操作することなく、任意の「開始条件」に従って無線通信部１４に対する電力の供給を開始させて「測定装置」から「携帯端末装置」に「測定結果データ」を送信させることができる。
【００９６】
また、「条件データ」の生成に際して、「携帯端末装置」に対するデータの送信を行う必要が生じたときに「無線通信部」に対する電力の供給が開始されるように「開始条件」を規定することにより、「携帯端末装置」に対するデータの送信を行う必要がないときに、「開始条件」が満たされないことで「電源部」から「無線通信部」への電力の供給が停止した状態となるため、その分だけ、「無線通信部」による電力の消費量を軽減することができると共に、利用者の意に反した「無線通信部」へのアクセスが行われる可能性を十分に低減することができる。これにより、バッテリ駆動状態での「測定装置」の動作可能時間を十分に長くすることができ、また、セキュリティを損なうことなく「測定装置」において測定処理等を継続させることができる。また、「携帯端末装置」によって「測定装置」から「測定結果データ」を回収する際には、「開始条件」が満たされたときに「電源部」から「無線通信部」に電力が供給されて「測定装置」から「携帯端末装置」に「測定結果データ」が送信されるため、例えば、利用者の手が届き難い場所に「測定装置」を設置した状態においても、「測定装置」から「携帯端末装置」に「測定結果データ」を確実かつ容易に回収することができる。
【００９７】
また、「条件データ」が記憶されている状態で「無線通信部」に対して電力を供給させているときに「電源部」を制御して「無線通信部」に対する電力の供給を直ちに停止させる構成を例に挙げて説明したが、「条件データ」が記憶されている状態で「無線通信部」に対して電力を供給させているときに、「条件データ」の内容に応じて、「無線通信部」に対する電力の供給を停止させるか否かを判別し、判別結果に応じて電力の供給を停止させる構成を採用することもできる。具体的には、「条件データ」が記憶されている状態で「無線通信部」に対して電力を供給させているときに、「条件データ」に「開始条件」として記録されている「開始時刻」と現在時刻との間の時間が予め規定された時間（一例として、３０秒）以上のときには、「電源部」を制御して「無線通信部」に対する電力の供給を停止させ、「条件データ」に「開始条件」として記録されている「開始時刻」と現在時刻との間の時間が予め規定された時間よりも短いときには、「電源部」を制御して「無線通信部」に対して電力を供給している状態を維持させる構成（「条件データが記憶され、かつ予め規定された停止条件が満たされたときに、無線通信部に対する電力の供給を停止させる構成」の一例）を採用することもできる。
【００９８】
加えて、ブルートゥース規格に準じた近距離無線通信を実行可能な無線通信部１４，２４を備えて構成した例について説明したが、この構成に代えて、または、この構成に加えて、無線ＬＡＮに接続可能な「無線通信部」、ZigBee（登録商用）規格に準じた近距離無線通信を実行可能な「無線通信部」、およびIrDA（登録商用）規格に準じた赤外線通信を実行可能な「無線通信部」を備えて構成することもできる。このような構成を採用した場合においても、上記の測定装置１、測定システム１００および測定システム用プログラムＤｐによって奏される効果と同様の効果を奏することができる。
【符号の説明】
【００９９】
１００  測定システム
１  測定装置
２  スマートフォン
１１  測定部
１４，２４  無線通信部
１５，２５  制御部
１６  記憶部
１７  電源部
１７ａ  バッテリ
２１  ストレージメモリ装着部
２６  本体メモリ
３０  通信制御処理
Ｄ０  送信条件データ
Ｄ１  送信要求データ
Ｄ２  測定結果データ
Ｄｐ  測定システム用プログラム
Ｌ  交流電源ライン
Ｍ  ストレージメモリ
【図１】
2016076765.tif 000003
【図２】
2016076765.tif 000004
【図３】
2016076765.tif 000005